(57)【要約】【課題】太陽高度に応じて保温室の温度調整が可能であって、効率よく採光できるとともに、保温室を最大限有効に利用できる温室を提供する。【解決手段】外周を囲む側壁２と、この側壁２の上部に設けられた透光板からなる屋根板３とを備え、内部に保温室５が形成された温室において、屋根板３の裏側に水平方向の軸６を介して回動自在に支持された反射板７と、反射板７を回転させる駆動手段９と、反射板７の太陽光線に対する角度を、太陽の高度に追従させて変化させるべく駆動手段９を制御する制御装置１１とを備えるものとする。【選択図】        図１
2004357649.tif 000002
【特許請求の範囲】
【請求項１】
外周を囲む側壁と、この側壁の上部に設けられた透光板からなる屋根板とにより構成された構造体の内部に保温室が形成された温室において、
前記屋根板の下方に水平方向の軸を介して回動自在に支持された反射板と、前記反射板を所定角度回動させる駆動手段と、前記反射板の太陽光線に対する角度を、太陽の高度に追従させて変化させるべく前記駆動手段を制御する制御装置とを備えたことを特徴とする温室。
【請求項２】
反射板の反射面を、乱反射面としたことを特徴とする請求項１記載の温室。
【請求項３】
反射板の裏面を、断熱材で被覆したことを特徴とする請求項１または２記載の温室。
【請求項４】
外周を囲む側壁と、この側壁の上部に設けられた透光板からなる屋根板とにより構成された構造体の内部に保温室が形成された温室において、
前記屋根板の下方に水平方向の軸を介して回動自在に支持された断熱板と、前記断熱板を所定角度回動させる駆動手段と、前記断熱板の太陽光線に対する角度を、太陽の高度に追従させて変化させるべく前記駆動手段を制御する制御装置とを備えたことを特徴とする温室。
【請求項５】
側壁を、断熱材で被覆したことを特徴とする請求項１〜４のいずれかに記載の温室。
【請求項６】
側壁により囲まれた床部を、畜熱機能を有する材料により形成したことを特徴とする請求項１〜５のいずれかに記載の温室。
【発明の詳細な説明】
【０００１】
【発明の属する技術分野】
本発明は、透光性の屋根から太陽光を保温室に取り入れて栽培植物等を生育させるための温室に関する。
【０００２】
【従来の技術】
従来のこの種の温室として、透光性の屋根を有する立方体状の保温室の天板に水平軸周りに回動自在な開閉蓋を設け、この開閉蓋の裏面に回動反射板を設け、この回動反射板に対向する固定反射板を天板より上方に取付け、この固定反射板と所定角度に開いた回動反射板との双方により保温室内に太陽光線を導入する反射光通路を形成させるようにした温室が開示されている（例えば、特許文献１参照）。
【０００３】
【特許文献１】
特公平４−３０２５２号公報
【０００４】
【発明が解決しようとする課題】
しかし、上記の温室では、天板で仕切られている部分では太陽光線が通過できず、太陽光線を最大限取り入れたとしても、開閉蓋のある開口部分からだけであり、その分採光量が少なくなり、保温効率が低下するばかりでなく、仕切板を保温室の中間に設けているため、保温室が狭くなるという問題がある。
【０００５】
本発明は、従来の技術が属する上述のような問題点に鑑みてなされたもので、保温室の温度調整が可能であって、効率よく採光できるとともに保温室を最大限有効に利用できる温室を提供することを目的としている。
【０００６】
【課題を解決するための手段】
本発明によると、上記課題は、次のようにして解決される。
（１）外周を囲む側壁と、この側壁の上部に設けられた透光板からなる屋根板とにより構成された構造体の内部に保温室が形成された温室において、前記屋根板の下方に水平方向の軸を介して回動自在に支持された反射板と、前記反射板を所定角度回動させる駆動手段と、前記反射板の太陽光線に対する角度を、太陽の高度に追従させて変化させるべく前記駆動手段を制御する制御装置とを備えるものとする。
【０００７】
（２）上記（１）項において、反射板の反射面を、乱反射面とする。
【０００８】
（３）上記（１）または（２）項において、反射板の裏面を、断熱材で被覆する。
【０００９】
（４）外周を囲む側壁と、この側壁の上部に設けられた透光板からなる屋根板とにより構成された構造体の内部に保温室が形成された温室において、前記屋根板の下方に水平方向の軸を介して回動自在に支持された断熱板と、前記断熱板を所定角度回動させる駆動手段と、前記断熱板の太陽光線に対する角度を、太陽の高度に追従させて変化させるべく前記駆動手段を制御する制御装置とを備えるものとする。
【００１０】
（５）上記（１）〜（４）項のいずれかにおいて、側壁を、断熱材で被覆する。
【００１１】
（６）上記（１）〜（５）項のいずれかにおいて、側壁により囲まれた床部を、畜熱機能を有する材料により形成する。
【００１２】
【発明の実施の形態】
以下、本発明の第１の実施形態である温室を、図１および図２を参照しながら説明する。
【００１３】
図１に示すように、本実施の形態の温室（１）は、アルミ枠体とアクリルプレートからなる側壁（２）と、この側壁（２）上に設けられ、正面（図１）から見て山形をなす、透光板からなる屋根板（３）とにより構造体（４）が構成され、この構造体（４）の内部に保温室（５）が形成されている。
【００１４】
側壁（２）により囲まれた保温室（５）の床部（１６）は、公知の畜熱機能を有する床板（１４）と、発砲スチロール等の断熱材（１５）とからなっている。
この保温室（５）は、図２に示すように、正面（図１参照）が短、側面が長の断面長方形の形状である。側壁（２）の内面は断熱材（１７）で被覆されている。
【００１５】
上記保温室（５）の上方には、複数枚、図示の例では４枚の短冊形状の反射板（７）が軸（６）を介して回転自在に支持されている。この反射板（７）は、反射率のよい金属板またはガラス板で形成するか、あるいは所望の材質の板にアルミホイル等を貼り付けた構造のものでもよい。太陽光線を効果的に分散するため、反射板（７）の反射面を凹凸等により乱反射面とすることが好ましい。
【００１６】
回転軸（６）は、側壁（２）の上端部、あるいは屋根板（３）の両端部に設けられたフレーム（３ａ）等に支持され、屋根板（３）の裏側に配置されている。この回転軸（６）にプーリ（８）が設けられ、駆動モータ（９）からべルトまたはチェーン等の動力伝達手段（１８）により動力が伝達されるようになっている。なお、屋根板（３）を駆動する手段は、油圧または空圧シリンダでもよく、モータには限定されない。
【００１７】
駆動モータ（９）は、導線（１０）を介してマイクロコンピュータ等の制御装置（１１）に接続され、この制御装置（１１）により反射板（７）が太陽の高度の関数に追従して動くように制御するようになっている。
【００１８】
図３は、季節の違いによる太陽光線の傾き（いずれも正午）を、温室（１）の構造体（４）とともに示している（反射板（７）は省略）。同図に示すように、夏季正午の太陽光線Ｌ１（実線で示す）は水平線に対して７４°、春秋正午の太陽光線Ｌ２（一点鎖線で示す）は水平線に対して５０°、冬季正午の太陽光線Ｌ３（点線で示す）は水平線に対して２７°の角度で入射してくる。すなわち、季節により太陽光線の入射角度が異なり、このままであると、夏季、春秋、冬季の順で保温室（５）内の温度が低くなる。さらに、１日に着目すると、入射角度は、朝方が小さく、正午が一番大きく、夕方小さくなるため、朝夕で保温室（５）内の温度が低くなる。
【００１９】
そこで、本発明では、反射板（７）を利用して、太陽の高度の変化にかかわらず太陽光線を保温室（５）に均一に取り込めるようにしたものである。
【００２０】
具体的には、制御装置（１１）は、太陽光線の高度の関数、例えば上記のような入射角度と、この入射角度に対して保温室への採光量を均一に取り込み可能な反射板（７）の角度の関係を記憶している。これにより、入射角度の変化に対して駆動モータ（９）を制御して、常に同じ光量が保温室（５）に取り込めるように反射板（７）の角度を設定するようになっている。このような制御は、季節ごとに行ってよいし、１日単位で行ってもよい。
なお、上記制御装置（１１）としては、天体望遠鏡の赤道儀に採用されている、天体の日周運動の通りに天体望遠鏡を運動させる周知の装置を用いてもよい。
【００２１】
図４は、太陽光線の高度の変化に対する反射板（７）の角度の設定例を示しており、（ａ）は冬季正午、（ｂ）は春秋正午、（ｃ）は夏季正午の例で、反射板（７）の水平線に対する角度が、冬季ではより多く太陽光線を取り込む下向き角度であり、春秋では冬季正午より少なめに太陽光線を取り込む角度であり、夏季では一番少なめに太陽光線を取り込む角度である。なお、夏季で温度が上がり過ぎる場合は、反射板（７）を屋根板（３）と平行位置に回動させて反射面を上向きにし、太陽光線を保温室（５）に入れないようにすることもできる。
【００２２】
また、反射板（７）を屋根板（３）と平行位置に回動させた場合、反射板（７）で屋根板（３）を完全に遮蔽し、保温室（５）の熱を逃がさないようにすることも可能である（特に夜間の場合）。
【００２３】
図５は、本発明の第２の実施の形態を示している。
本実施の形態では、保温室（５）の上部付近に設けられた横枠（１２）に複数枚（図示の例では４枚）の断熱板（１３）が回転軸（６）を介して支持されている。
【００２４】
この第２の実施の形態では、太陽光線の高度に応じて、太陽光線を反射させる代わりに遮蔽するようにしたものである。すなわち、上記反射板（７）とは逆に、夏季では一番多く太陽光線が断熱板（１３）で遮蔽され（太陽光線がより少なく床部（１６）に到達する）、春秋では夏季より少なめに太陽光線が遮蔽され、冬季では一番少なく太陽光線が遮蔽される（より多く床部（１６）に到達する）角度とする。
【００２５】
なお、図１等に示す第１の実施の形態において、反射板（７）の裏面を、断熱材で被覆することにより、反射板（７）に第２の実施の形態における断熱板（１３）と同様の機能を持たせたり、または、図５に示す第２の実施の形態における断熱板（１３）の表面に反射材を設けて、断熱板（１３）に第１の実施の形態における反射板（７）と同様の機能を持たせたりすることもできる。
【００２６】
【発明の効果】
（Ａ）  請求項１記載の発明によると、屋根板の裏側に、太陽の高度に追従して角度が変化する反射板を設けたので、季節あるいは１日の時間の経過による太陽高度の変化にかかわらず、保温室への採光量を一定に調整して保温室の温度を均一に保つことが可能となるとともに、寒い季節では屋根板を前面開放し採光効率を高めることができる。また、反射板は屋根板の裏側の空きスぺースを利用して配置するため、保温室の邪魔になることがない。
【００２７】
（Ｂ）  請求項２記載の発明によると、反射板の反射面が乱反射面とされているので、太陽光線を効果的に分散することができる。
【００２８】
（Ｃ）  請求項３記載の発明によると、反射板の裏面を、断熱材で被覆することにより、寒冷時の夜間等に、反射板を閉じて保温室の保温機能を高めることができる。
【００２９】
（Ｄ）  請求項４記載の発明によると、屋根板の裏側に、太陽の高度に追従して角度が変化する断熱板を設けたので、季節あるいは１日の時間の経過による太陽高度の変化にかかわらず、保温室への採光量を一定に調整して保温室の温度を均一に保つことが可能となるとともに、寒冷時の夜間等に断熱板を閉じて、保温効果を高めることができる。また、断熱板は屋根板の裏側の空きスぺースを利用して配置するため、保温室の邪魔になることがない。
【００３０】
（Ｅ）請求項５記載の発明によると、側壁を断熱材で被覆したので、保温効果が向上する。
【００３１】
（Ｆ）請求項６記載の発明によると、床部を、畜熱機能を有する材料により形成したことにより、保温室の保温効果をさらに高めることができる。
【図面の簡単な説明】
【図１】本発明の温室の第１の実施形態の正面図である。
【図２】第１の実施形態の平面図である。
【図３】太陽光線の季節による高度の差異を示す説明図である。
【図４】太陽光線の高度の差異に応じた反射板の角度の変化を示す説明図である。
【図５】本発明の温室の第２の実施形態の正面図である。
【符号の説明】
（１）温室
（２）側壁
（３）屋根板
（３ａ）フレーム
（４）構造体
（５）保温室
（６）軸
（７）反射板
（８）プーリ
（９）駆動モータ
（１０）導線
（１１）制御装置
（１２）横枠
（１３）断熱板
（１４）床板
（１５）断熱材
（１６）床部
（１７）断熱材
（１８）動力伝達手段
【図１】
2004357649.tif 000003
【図２】
2004357649.tif 000004
【図３】
2004357649.tif 000005
【図４】
2004357649.tif 000006
【図５】
2004357649.tif 000007